(57)【要約】【課題】通信要求が複数同時に発生した場合における複数のアナログ通信モジュール及び網制御装置の有効利用を行うことができるようにする。【解決手段】Ｇ３Ｍ１（１８）、Ｇ３Ｍ２（１９）、Ｇ３Ｍ３（２０）等の複数のアナログ通信モジュールおよびＮＣＵ１（２１）、ＮＣＵ（２２）、ＮＣＵ（２３）等の複数の網制御装置を備えるファクシミリ装置１において、主制御部２の制御のもと、通信要求時に、上記複数のアナログ通信モジュール［Ｇ３Ｍ１（１８）、Ｇ３Ｍ２（１９）、Ｇ３Ｍ３（２０）］および上記複数の網制御装置［ＮＣＵ１（２１）、ＮＣＵ（２２）、ＮＣＵ（２３）］の使用状態を調査し、空いている箇所を検索して選択すると共に、この選択された箇所を用いて通信を行うようにＡｎａｌｏｇ  ＳＷ１７にスイッチ切り替え制御信号を送出するＲＣＵ１５を備える。【選択図】  図２
2004274592.tif 000002
【特許請求の範囲】
【請求項１】
公衆回線にそれぞれ接続された複数の網制御装置と、所定の伝送制御手順に従った通信制御を行う複数のアナログ通信モジュールとを有する通信装置であって、
前記網制御装置と前記アナログ通信モジュールとの間を相互に切り替え接続するアナログスイッチと、
前記網制御装置でのそれぞれの回線接続制御に用いられる通信制御信号により使用可能な網制御装置およびアナログ通信モジュールとを判別し、該判別に基づき使用可能な網制御装置とアナログ通信モジュールとを接続するように前記アナログスイッチの切り替え動作を制御する切替制御手段と
を具備することを特徴とする通信装置。
【請求項２】
前記通信制御信号は、
前記公衆回線からの着呼を検出する着呼検出信号を含み、
前記切替制御手段は、
前記着呼検出信号が生じた網制御装置に対応するアナログ通信モジュールが使用中の場合は、該網制御装置を使用可能な他の空いているアナログ通信モジュールに接続するように前記アナログスイッチを切替制御する
ことを特徴とする請求項１記載の通信装置。
【請求項３】
前記通信制御信号は、
前記公衆回線との回線接続を制御する回線接続制御信号を含み、
前記切替制御手段は、
所定のアナログ通信モジュールに対応する網制御装置が使用中の場合は、該アナログ通信モジュールを使用可能な他の空いている網制御装置に接続するように前記アナログスイッチを切替制御する
ことを特徴とする請求項１記載の通信装置。
【請求項４】
ＩＳＤＮ回線に接続されたＩＳＤＮ回線モジュール
を更に有し、
前記アナログスイッチは、
前記アナログ通信モジュールに対する前記網制御装置と前記ＩＳＤＮ回線モジュールとの切り替え接続を行う
ことを特徴とする請求項１記載の通信装置。
【請求項５】
音声通話を行う音声通話手段
を更に有し、
前記アナログスイッチは、
前記網制御装置に対する前記アナログ通信モジュールと前記音声通話手段との切り替え接続を行う
ことを特徴とする請求項１記載の通信装置。
【請求項６】
公衆回線にそれぞれ接続された複数の網制御装置と、所定の伝送制御手順に従った通信制御を行う複数のアナログ通信モジュールとを有する通信装置の制御方法であって、
前記網制御装置と前記アナログ通信モジュールとの間を相互に切り替え接続するアナログスイッチを設け、
前記網制御装置でのそれぞれの回線接続制御に用いられる通信制御信号により使用可能な網制御装置およびアナログ通信モジュールを判別し、
該判別に基づき使用可能な網制御装置とアナログ通信モジュールとを接続するように前記アナログスイッチの切り替え動作を制御する
ことを特徴とする通信装置の制御方法。
【請求項７】
前記通信制御信号は、
前記公衆回線からの着呼を検出する着呼検出信号を含み、
前記着呼検出信号が生じた網制御装置に対応するアナログ通信モジュールが使用中の場合は、該網制御装置を使用可能な他の空いているアナログ通信モジュールに接続するように前記アナログスイッチを切替制御する
ことを特徴とする請求項６記載の通信装置の制御方法。
【請求項８】
前記通信制御信号は、
前記公衆回線との回線接続を制御する回線接続制御信号を含み、
所定のアナログ通信モジュールに対応する網制御装置が使用中の場合は、該アナログ通信モジュールを使用可能な他の空いている網制御装置に接続するように前記アナログスイッチを切替制御する
ことを特徴とする請求項６記載の通信装置の制御方法。
【請求項９】
ＩＳＤＮ回線に接続されたＩＳＤＮ回線モジュール
を更に有し、
前記アナログスイッチは、
前記アナログ通信モジュールに対する前記網制御装置と前記ＩＳＤＮ回線モジュールとの切り替え接続を行う
ことを特徴とする請求項６記載の通信装置の制御方法。
【請求項１０】
音声通話を行う音声通話手段
を更に有し、
前記アナログスイッチは、
前記網制御装置に対する前記アナログ通信モジュールと前記音声通話手段との切り替え接続を行う
ことを特徴とする請求項６記載の通信装置の制御方法。
【発明の詳細な説明】
【０００１】
【発明の属する技術分野】
本発明は、公衆回線にそれぞれ接続された複数の網制御装置（ＮＣＵ）と、所定の伝送制御手順に従った通信制御を行う複数のアナログ通信モジュールとを有するファクシミリ装置等の通信装置に関し、特に、通信要求が複数同時に発生した場合におけるアナログ通信モジュール及び網制御装置（ＮＣＵ）の有効利用を行うことができる通信装置及びその通信制御方法に関する。
【０００２】
【従来の技術】
従来、複数の通信モジュールを備えるファクシミリ装置の一例を図６に示す。
【０００３】
図６に示すように、この従来のファクシミリ装置では、通信制御部において、複数の通信モジュールとして、アナログ通信モジュール、ディジタル通信モジュールとを備える。そして、アナログ通信モジュールとして、例えば、Ｇ３ファクシミリ規格の伝送制御手順に従った通信制御を行うＧ３Ｍ１、Ｇ３Ｍ２、Ｇ３Ｍ３を備える。また、ディジタル通信モジュールとして、Ｇ４ファクシミリ規格の伝送制御手順に従った通信制御を行うＧ４Ｍ１、Ｇ４Ｍ２を備える。また、更に、アナログ通信及びディジタル通信モジュールとして、上記Ｇ３Ｍや、Ｇ４Ｍを用いたり、Ｈａｎｄｓｅｔ（送受話器）を用いて、ＩＳＤＮ回線を用いた通信制御を行うＩＣＭを備える。そして、上記アナログ通信モジュールＧ３Ｍ１、Ｇ３Ｍ２、Ｇ３Ｍ３に対応して交換回線網、特にアナログ回線網のインタフェースをとり網制御を行うＮＣＵ１、ＮＣＵ２、ＮＣＵ３等の網制御装置（ＮＣＵ：Ｎｅｔｗｏｒｋ  Ｃｏｎｔｒｏｌ  Ｕｎｉｔ）（以下、単に、「ＮＣＵ」と言う。）を備えている。
【０００４】
ところで、この従来のファクシミリ装置では、複数のアナログ通信モジュールと複数のＮＣＵとの接続に関し、通信用信号はアナログスイッチ（Ａｎａｌｏｇ
ＳＷ）を介して接続している。
【０００５】
そして、交換回線網側との接続をＮＣＵに指示するＲｅｌａｙ制御信号と着信を検知するＲｉｎｇ信号は、アナログ通信モジュール（Ｇ３Ｍ）とＮＣＵの１つのペアで１対１の接続をしている。図６の例では、Ｇ３Ｍ１とＮＣＵ１がペアで１対１、またＧ３Ｍ２とＮＣＵ２がペアで１対１、またＧ３Ｍ３とＮＣＵ３がペアで１対１の接続をしている。
【０００６】
即ち、各アナログ通信モジュールと各ＮＣＵは、１対１の関係にあるペア間でのみＲｅｌａｙ制御信号とＲｉｎｇ制御信号のやりとりを行っている。
【０００７】
従って、従来では、アナログ通信モジュールとＮＣＵにおいて１対１の接続関係を有しているので、アナログ回線を用いたファクシミリ受信或いはファクシミリ送信する場合には、その１対１の関係にあるアナログ通信モジュールとＮＣＵの両方を使用することになり、いずれか一方のみを使用することは有り得ない。
【０００８】
また、従来のファクシミリ装置では、Ｂ１チャネル或いはＢ２チャネルのＩＳＤＮ回線から各アナログ通信モジュールへのファクシミリ受信と、各アナログ通信モジュールからＢ１チャネル或いはＢ２チャネルのＩＳＤＮ回線へのファクシミリ送信とが可能である。また、各ＮＣＵからＨａｎｄｓｅｔ（送受話器）への呼出信号を受信をして応答することによる音声通信と、Ｈａｎｄｓｅｔ（送受話器）から各ＮＣＵ経由で発呼信号の送信を行っての音声通信とが可能である。
【０００９】
尚、この場合、ＩＳＤＮ回線からアナログ通信モジュールへファクシミリ受信する場合のＡｎａｌｏｇ  ＳＷＩ、Ａｎａｌｏｇ  ＳＷＩＩ、Ａｎａｌｏｇ  ＳＷＩＩＩのいずれかのスイッチのスイッチ切り替え制御と、Ｈａｎｄｓｅｔ（送受話器）からＮＣＵ経由で音声通話する場合のＡｎａｌｏｇ  ＳＷＩＶのスイッチ切り替え制御はシステム部の下で制御されている。
【００１０】
ところで、このような従来構成のファクシミリ装置では、例えば、既に、１対１のペア関係にあるアナログ通信モジュールおよびＮＣＵのうちいずれか一方を使用してＩＳＤＮ回線を用いたファクシミリ通信或いはＨａｎｄｓｅｔを用いた音声通信が行われている場合、ペア間でのみＲｅｌａｙ制御信号とＲｉｎｇ信号のやりとりを行っている都合上そのペアにおけるファクシミリ受信及びファクシミリ送信が行えない。
【００１１】
このように、従来のファクシミリ装置では、１対１の各アナログ通信モジュールと各ＮＣＵにおいて、いずれか一方が使用中である場合に、使用していない空いたアナログ通信モジュール及びＮＣＵがあるような場合でもその部分を用いたファクシミリ受信及びファクシミリ送信が行えないものとなっている。
【００１２】
尚、具体的に、使用せず空いたアナログ通信モジュール若しくはＮＣＵがある場合の従来の通信動作について図７および図８を用いて説明する。尚、この図７及び図８は、図６に示す通信制御部の構成を抽出した場合の構成を示している。
【００１３】
まず、図７を用いてアナログファクシミリ受信時の不都合について述べる。図７に示すように、例えば、Ｈａｎｄｓｅｔ（送受話器）とＮＣＵ１を接続することにより音声通話中［図中（１）参照］で、且つＧ３Ｍ２（アナログ通信モジュール２）でＧ３−ＩＳＤＮ通信中［図中（２）参照］のとき、ＮＣＵ２に着信があった場合［図中（３）参照］は、Ｇ３Ｍ２は、Ｇ３−ＩＳＤＮ通信中のためＲｉｎｇ２（呼出信号２）信号を検出することができず［図中（３’）参照］、ＮＣＵ２からの着信を拒否していた。
【００１４】
また、図８を用いてＩＳＤＮ回線に乗り入れしないアナログファクシミリ送信時の不都合について述べる。図８に示すように、例えば、音声通話によりＮＣＵ１が使用中［図中（４）参照］、且つＧ３−ＩＳＤＮ通信でＧ３Ｍ２が受信中［図中（５）参照］、更にＧ３Ｍ３（アナログ通信モジュール３）がＮＣＵ３を使って送信中［図中（６）参照］のとき、アナログＦＡＸ送信を行う場合にＧ３Ｍ１（アナログ通信モジュール１）から送信しようとする［図中（７）参照］が、ＮＣＵ１が使用中のためＮＣＵ１の音声通話が終了するまでＧ３Ｍ１からのファクシミリ送信は待たされていた。
【００１５】
尚、近い従来技術として、特許文献１の通信モジュール選択方式がある。
【００１６】
【特許文献１】
特開平０６−０２２０７１号公報。
【００１７】
【発明が解決しようとする課題】
上述の如く、従来の複数のアナログ通信モジュール及び複数のＮＣＵを備える通信装置にあっては、使用していないアナログ通信モジュール及びＮＣＵがあるような場合でもその空いたアナログ通信モジュール及びＮＣＵを有効に利用することができないでいた。
【００１８】
そこで、本発明は上記実情を鑑み、通信要求が複数同時に発生した場合におけるアナログ通信モジュール及び網制御装置の有効利用を行うことが可能な通信装置及びその通信制御方法の提供を目的とするものである。
【００１９】
【課題を解決するための手段】
上述した目的を達成するため、請求項１の発明は、公衆回線にそれぞれ接続された複数の網制御装置と、所定の伝送制御手順に従った通信制御を行う複数のアナログ通信モジュールとを有する通信装置であって、前記網制御装置と前記アナログ通信モジュールとの間を相互に切り替え接続するアナログスイッチと、前記網制御装置でのそれぞれの回線接続制御に用いられる通信制御信号により使用可能な網制御装置およびアナログ通信モジュールとを判別し、該判別に基づき使用可能な網制御装置とアナログ通信モジュールとを接続するように前記アナログスイッチの切り替え動作を制御する切替制御手段とを具備することを特徴とする。
【００２０】
また、請求項２の発明は、請求項１の発明において、前記通信制御信号は、前記公衆回線からの着呼を検出する着呼検出信号を含み、前記切替制御手段は、前記着呼検出信号が生じた網制御装置に対応するアナログ通信モジュールが使用中の場合は、該網制御装置を使用可能な他の空いているアナログ通信モジュールに接続するように前記アナログスイッチを切替制御することを特徴とする。
【００２１】
また、請求項３の発明は、請求項１の発明において、前記通信制御信号は、前記公衆回線との回線接続を制御する回線接続制御信号を含み、前記切替制御手段は、所定のアナログ通信モジュールに対応する網制御装置が使用中の場合は、該アナログ通信モジュールを使用可能な他の空いている網制御装置に接続するように前記アナログスイッチを切替制御することを特徴とする。
【００２２】
また、請求項４の発明は、請求項１の発明において、ＩＳＤＮ回線に接続されたＩＳＤＮ回線モジュールを更に有し、前記アナログスイッチは、前記アナログ通信モジュールに対する前記網制御装置と前記ＩＳＤＮ回線モジュールとの切り替え接続を行うことを特徴とする。
【００２３】
また、請求項５の発明は、請求項１の発明において、音声通話を行う音声通話手段を更に有し、前記アナログスイッチは、前記網制御装置に対する前記アナログ通信モジュールと前記音声通話手段との切り替え接続を行うことを特徴とする。
【００２４】
また、請求項６の発明は、公衆回線にそれぞれ接続された複数の網制御装置と、所定の伝送制御手順に従った通信制御を行う複数のアナログ通信モジュールとを有する通信装置の制御方法であって、前記網制御装置と前記アナログ通信モジュールとの間を相互に切り替え接続するアナログスイッチを設け、前記網制御装置でのそれぞれの回線接続制御に用いられる通信制御信号により使用可能な網制御装置およびアナログ通信モジュールを判別し、該判別に基づき使用可能な網制御装置とアナログ通信モジュールとを接続するように前記アナログスイッチの切り替え動作を制御することを特徴とする。
【００２５】
また、請求項７の発明は、請求項６の発明において、前記通信制御信号は、前記公衆回線からの着呼を検出する着呼検出信号を含み、前記着呼信号が生じた網制御装置に対応するアナログ通信モジュールが使用中の場合は、該網制御装置を使用可能な他の空いているアナログ通信モジュールに接続するように前記アナログスイッチを切替制御することを特徴とする。
【００２６】
また、請求項８の発明は、請求項６の発明において、前記通信制御信号は、前記公衆回線との回線接続を制御する回線接続制御信号を含み、所定のアナログ通信モジュールに対応する網制御装置が使用中の場合は、該アナログ通信モジュールを使用可能な他の空いている網制御装置に接続するように前記アナログスイッチを切替制御することを特徴とする。
【００２７】
また、請求項９の発明は、請求項６の発明において、ＩＳＤＮ回線に接続されたＩＳＤＮ回線モジュールを更に有し、前記アナログスイッチは、前記アナログ通信モジュールに対する前記網制御装置と前記ＩＳＤＮ回線モジュールとの切り替え接続を行うことを特徴とする。
【００２８】
また、請求項１０の発明は、請求項６の発明において、音声通話を行う音声通話手段を更に有し、前記アナログスイッチは、前記網制御装置に対する前記アナログ通信モジュールと前記音声通話手段との切り替え接続を行うことを特徴とする。
【００２９】
【発明の実施の形態】
以下、本発明に係わる通信装置及びその通信制御方法の実施の形態を添付図面を参照して詳細に説明する。
【００３０】
図１は、本発明の通信装置及びその通信制方法を適用した複数の通信モジュールを備えたファクシミリ装置１の一構成例を示す図である。
【００３１】
図１において、この実施例のファクシミリ装置１は、大きくは主制御部２と、通信制御部３とから構成される。
【００３２】
そして、主制御部２は、Ｂｕｓ  Ｉ／Ｆ４と、ＣＰＵ５と、ＲＯＭ６と、ＲＡＭ（２）７と、ＨＤＤ８と、Ｓｃａｎｎｅｒ９と、ＲＡＭ（１）１０と、ＡＳＩＣ  ＣＯＤＥＣ１１と、ＲＡＭ（３）１２と、Ｐｒｉｎｔｅｒ１３と、ＮＩＣ１４とを備える。尚、上記各構成要素４〜１４はバスＡを経由して相互に接続される。
【００３３】
また、通信制御部３は、ＲＣＵ１５と、Ｈａｎｄｓｅｔ１６と、ＡｎａｌｏｇＳＷ１７と、Ｇ３Ｍ１  １８と、Ｇ３Ｍ２  １９と、Ｇ３Ｍ３  ２０と、ＮＣＵ１  ２１と、ＮＣＵ２  ２２と、ＮＣＵ３  ２３と、ＩＣＭ２４と、Ｇ４Ｍ１２５と、Ｇ４Ｍ２  ２６とを備える。尚、上記各構成要素１５〜２６はオプションバスＢを経由して相互に接続される。
【００３４】
まず、主制御部２の各構成要素の機能について説明する。
【００３５】
Ｂｕｓ  Ｉ／Ｆ４は、主制御部２においてオプションバスＢを介して通信制御部３とのインタフェースをとる。また、ＣＰＵ５は、このファクシミリ装置１の全ての動作を制御する中央処理装置（Ｃｅｎｔｒａｌ  Ｐｒｏｃｅｓｓｉｎｇ  Ｕｎｉｔ）である。また、ＲＯＭ６は、上述のＣＰＵ５がこのファクシミリ装置１の動作を制御する際に用いるプ各種ログラムを記憶する読み出し専用記憶部（Ｒｅａｄ  Ｏｎｌｙ  Ｍｅｍｏｒｙ）である。また、ＲＡＭ（２）７は、例えば、Ｓｃａｎｎｅｒ９でスキャンした原稿のデータをＡＳＩＣ  ＣＯＤＥＣ１１で符号化して通信制御部２に渡す前のデータを一時記憶すると共に、通信制御部３を介して受信した復号前のデータを一時記憶する記憶部（Ｒａｎｄｏｍ  Ａｃｃｅｓｓ  Ｍｅｍｏｒｙ）である。また、ＨＤＤ（Ｈａｒｄ  Ｄｉｓｋ  Ｄｒｉｖｅ：ハードディスクドライブ）８は、このファクシミリ装置１における各種プログラムを記憶したり、このファクシミリ装置にて設定される短縮情報ダイヤル番号等の各種ユーザ設定情報を記憶する記憶装置である。また、Ｓｃａｎｎｅｒ（スキャナ）９は、ファクシミリ送信対象の原稿データを読み取る読み取り装置である。また、ＲＡＭ（１）１０は、上記Ｓｃａｎｎｅｒ９で読み取った原稿データを符号化する前に一時記憶する記憶部である。また、ＡＳＩＣ  ＣＯＤＥＣ１１は、ファクシミリ送信データに所定の符号化処理を施すと共にファクシミリ受信データに所定の復号化処理を施す特定用途向けＬＳＩ［ＣＯＤＥＣ（符号化／復号化）ＤＭＡ（Ｄｉｒｅｃｔ  Ｍｅｍｏｒｙ  Ａｃｃｅｓｓ）である。また、ＲＡＭ（３）１２は、上記ＡＳＩＣ  ＣＯＤＥＣ１１で復号化したファクシミリ受信データをプリンタに送る前のデータを一時記憶する記憶部である。また、Ｐｒｉｎｔｅｒ（プリンタ）１３は、上記ＲＡＭ（３）１２に記憶しているファクシミリ受信データを出力紙に印刷する印字装置である。また、ＮＩＣ１４は、Ｅｔｈｅｒｎｅｔ（登録商標）等のネットワークとのインタフェースをとるＮｅｔｗｏｒｋ  Ｉｎｔｅｒｆａｃｅ  Ｃａｒｄである。
【００３６】
次に、通信制御部３の各構成要素の機能について説明する。
【００３７】
ＲＣＵ（Ｒｅｓｏｕｒｃｅ  Ｃｏｎｔｒｏｌ  Ｕｎｉｔ）１５は、ＮＣＵ１、ＮＣＵ２、ＮＣＵ３それぞれからの呼出信号（Ｒｉｎｇ１、Ｒｉｎｇ２、Ｒｉｎｇ３）と、ＮＣＵ１、ＮＣＵ２、ＮＣＵ３それぞれへのリレー制御信号を接続し、ＮＣＵ１、ＮＣＵ２、ＮＣＵ３等の各網制御装置を一括管理する。そして、主制御部２からの指示を入力し、Ｇ３Ｍ１〜Ｇ３Ｍ３のアナログ通信モジュール及びＮＣＵ１、ＮＣＵ２、ＮＣＵ３の空きを検索する。そして、その検索の結果、空いている箇所を用いてアナログファクシミリ送信及びアナログファクシミリ受信の通信、音声通話の通信、ＩＳＤＮ回線を用いたディジタルファクシミリ送信及びディジタルファクシミリ受信の通信が行えるようにＡｎａｌｏｇ  ＳＷ１７のスイッチ切り替えを制御すると共に、Ｒｅｌａｙ制御信号を所定のＮＣＵ１、ＮＣＵ２、ＮＣＵ３に送出する制御を行う。また、Ｈａｎｄｓｅｔ（送受話器）１６は、音声通話を行う電話部分である。また、Ｇ３Ｍ１  １８及びＧ３Ｍ２  １９及びＧ３Ｍ３  ２０は、１〜３チャネルのファクシミリ装置側のインタフェースをとるアナログ通信モジュールであり、Ｇ３ファクシミリ規格の通信制御を行う。また、ＮＣＵ１  ２１及びＮＣＵ２  ２２及びＮＣＵ３  ２３は、交換回線網、特にアナログ回線網とのインタフェースを採り、自動発着信機能を有し、網制御を行う網制御装置（ＮＣＵ：Ｎｅｔｗｏｒｋ  Ｃｏｎｔｒｏｌ  Ｕｎｉｔ）であり、この例では、ＮＣＵ１が公衆回線［ＰＳＴＮ（Ｐｕｂｌｉｃ  Ｓｗｉｃｔｅｄ  Ｔｅｌｅｐｈｏｎｅ  Ｎｅｔｗｏｒｋ）１］１０１と接続され、ＮＣＵ２が公衆回線（ＰＳＴＮ２）１０２と接続され、ＮＣＵ３が公衆回線（ＰＳＴＮ３）１０３と接続されている。また、ＩＣＭ２４は、ＩＳＤＮ回線とのインタフェースをとるＩＳＤＮインタフェースモジュールであり、ＩＳＤＮ回線１０４と接続され、Ｇ３Ｍを用いたアナログファクシミリ送信及び受信と、Ｇ４Ｍを用いたディジタルファクシミリ送信及び受信と、Ｈａｎｄｓｅｔ（送受話器）を用いた音声通話の通信を行う。また、Ｇ４Ｍ１  ２５及びＧ４Ｍ２  ２６は、１、２チャネルのファクシミリ装置側のインタフェースをとるディジタル通信モジュールであり、Ｇ４ファクシミリ規格の通信制御を行う。
【００３８】
ここで、このファクシミリ装置１の基本的な動作について説明する。
【００３９】
このファクシミリ装置１では、主制御部１のＣＰＵ５が、全ての装置の動作を制御する。その制御は、ＲＯＭ６に予め設定されたプログラム（ソフトウェア）を順次読み出し、そのプログラムに従い実施される。通信制御部３とのインターフェースはＢｕｓ  Ｉ／Ｆ４で接続する。通信制御部３の各通信モジュール（Ｇ３Ｍ１〜Ｇ３Ｍ３、Ｇ４Ｍ１及びＧ４Ｍ２、ＩＣＭ等）は各モジュールに実装した図示しないデュアルポートメモリ（ＤＰ−ＲＡＭ）を介して主制御部２とのデータの受け渡しを行う。
【００４０】
次いで、このファクシミリ装置１内のファクシミリ送信時及びファクシミリ受信時のデータの流れについて説明する。
【００４１】
まず、送信時について述べる。送信の場合、Ｓｃａｎｎｅｒ９により原稿を読取り、イメージ情報として、一旦ＲＡＭ（１）１０に蓄積される。その後、ＡＳＩＣ  ＣＯＤＥＣ１１内のＡＳＩＣ符号器により、イメージ情報を圧縮し、符号化情報としてＲＡＭ（２）７に蓄積される。そして、符号化情報は、Ｂｕｓ  Ｉ／Ｆ４を経由して通信制御部３の予め選択された通信モジュール（Ｇ３ＭまたはＧ４Ｍ）に渡され、公衆回線（ＰＳＴＮ１〜３）またはＩＳＤＮ回線に接続し、受信側に送られる。
【００４２】
次に、受信時について述べる。受信の場合、逆に公衆回線（ＰＳＴＮ１〜３）またはＩＳＤＮ回線等からアナログ通信モジュール（Ｇ３Ｍ）またはディジタル通信モジュール（Ｇ４Ｍ）を介して受信データを受信し、主制御部２のＢｕｓ  Ｉ／Ｆ４を経由してＲＡＭ（２）７に蓄積される。次いで、ＡＳＩＣ  ＣＯＤＥＣ１１のＡＳＩＣ復号器により伸長し、イメージ情報として、ＲＡＭ（３）１２に蓄積され、Ｐｒｉｎｔｅｒ１３により印字される。
【００４３】
次に、１〜３チャネルのＧ３Ｍ１  １８〜Ｇ３Ｍ３  ２０のアナログ通信モジュールと、１、２チャネルのＧ４Ｍ１  ２５及びＧ４Ｍ２  ２６のディジタル通信モジュールの詳細構成について説明する。
【００４４】
Ｇ３Ｍ１  １８〜Ｇ３Ｍ３  ２０のアナログ通信モジュールとＧ４Ｍ１  ２５及びＧ４Ｍ２  ２６のディジタル通信モジュールは、図示しないＣＰＵ、ＲＯＭ（ＦＬＡＳＨ  ＲＯＭ），ＲＡＭ、ＣＯＤＥＣ等を搭載したハードウェアモジュールである。尚、各通信モジュールは主制御部２とオプションバスＢで接続され、主制御部２から各通信モジュール上のデュアルポートメモリをアクセスすることにより各通信モジュールと主制御部２のインタフェースをとる。尚、図１の例では、最大Ｇ３Ｍ×３ｃｈ（ＰＳＴＮ）、Ｇ４Ｍ×２ｃｈ（ＩＳＤＮ）を同時に通信できる構成を示している。また、Ｇ３ＭはＩＳＤＮにも乗り入れが可能である。更に、Ｈａｎｄｓｅｔ（送受話器）により各通信回線（ＮＣＵ１／ＮＣＵ２／ＮＣＵ３／ＩＳＤＮ  Ｂ１／ＩＳＤＮ  Ｂ２）を使って音声通話が可能である。
【００４５】
図２は、図１に示す通信制御部３の構成を更に詳細に説明する為の構成図である。尚、この図２の場合では、Ｇ４Ｍ１  ２５とＧ４Ｍ２  ２６のディジタル通信モジュールを省略している。
【００４６】
図２において、Ａｎａｌｏｇ  ＳＷ１  １７ａとＡｎａｌｏｇ  ＳＷ２  １７ｂとＡｎａｌｏｇ  ＳＷ３  １７ｃとＡｎａｌｏｇ  ＳＷ４  １７ｄは、上記図１に示したＡｎａｌｏｇ  ＳＷ１７に含まれる。
【００４７】
ここで、ＲＣＵ（Ｒｅｓｏｕｒｃｅ  Ｃｏｎｔｒｏｌ  Ｕｎｉｔ）１５は、ＮＣＵ１、ＮＣＵ２、ＮＣＵ３それぞれからのファクシミリ受信要求時及び通話要求時に着呼を検出した呼出信号（Ｒｉｎｇ１、Ｒｉｎｇ２、Ｒｉｎｇ３）と、ＮＣＵ１、ＮＣＵ２、ＮＣＵ３それぞれへの網側との接続を指示するリレー制御信号を接続し、ＮＣＵ１、ＮＣＵ２、ＮＣＵ３等の各網制御装置を一括管理する。そして、Ｇ３Ｍ１、Ｇ３Ｍ２、Ｇ３Ｍ３等のアナログ通信モジュール及びＮＣＵ１、ＮＣＵ２，ＮＣＵ３等の網制御装置の現在の使用状態を管理する（例えば、後述の図３に示す管理テーブルを有する。）。そして、主制御部２からの指示を入力し、Ｇ３Ｍ１〜Ｇ３Ｍ３のアナログ通信モジュール及びＮＣＵ１、ＮＣＵ２、ＮＣＵ３の空きを検索する。そして、その検索の結果、空いている箇所を用いてアナログファクシミリ送信及びアナログファクシミリ受信の通信、音声通話の通信、ＩＳＤＮ回線を用いたディジタルファクシミリ送信及びディジタルファクシミリ受信の通信が行えるようにＡｎａｌｏｇ  ＳＷ１７のスイッチ切り替えを制御すると共に、Ｒｅｌａｙ制御信号を所定のＮＣＵ１、ＮＣＵ２、ＮＣＵ３に送出する制御を行う。
【００４８】
また、Ａｎａｌｏｇ  ＳＷ１  １７ａは、上記ＲＣＵ１５のスイッチ切り替え制御信号に基づき、Ｇ３Ｍ１  １８とＮＣＵ１  ２１間のアナログファクシミリ送受信用の通信データと、Ｇ３Ｍ１  １８とＮＣＵ２  ２２間のファクシミリ送受信用の通信データと、Ｇ３Ｍ１  １８とＮＣＵ３  ２３間のアナログファクシミリ送受信用の通信データと、Ｇ３Ｍ１  １８とＩＣＭ２４のＢ１チャネルのＩＳＤＮ回線１０４間のディジタルファクシミリ送受信用の通信データと、Ｇ３Ｍ１  １８とＩＣＭ２４のＢ２チャネルのＩＳＤＮ回線１０４間のディジタル送受信用の通信データの伝送経路のいずれかに選択的に切り替えるようにスイッチのオンまたはオフを行う。
【００４９】
また、Ａｎａｌｏｇ  ＳＷ２  １７ｂは、上記ＲＣＵ１５のスイッチ切り替え制御信号に基づき、Ｇ３Ｍ２  １９とＮＣＵ１  ２１間のアナログファクシミリ送受信用の通信データと、Ｇ３Ｍ２  １９とＮＣＵ２  ２２間のファクシミリ送受信用の通信データと、Ｇ３Ｍ２  １９とＮＣＵ３  ２３間のアナログファクシミリ送受信用の通信データと、Ｇ３Ｍ２  １９とＩＣＭ２４のＢ１チャネルのＩＳＤＮ回線１０４間のディジタルファクシミリ送受信用の通信データと、Ｇ３Ｍ２  １９とＩＣＭ２４のＢ２チャネルのＩＳＤＮ回線１０４間のディジタル送受信用の通信データの伝送経路のいずれかに選択的に切り替えるようにスイッチのオンまたはオフを行う。
【００５０】
また、Ａｎａｌｏｇ  ＳＷ３  １７ｃは、上記ＲＣＵ１５のスイッチ切り替え制御信号に基づき、Ｇ３Ｍ３  ２０とＮＣＵ１  ２１間のアナログファクシミリ送受信用の通信データと、Ｇ３Ｍ３  ２０とＮＣＵ２  ２２間のファクシミリ送受信用の通信データと、Ｇ３Ｍ３  ２０とＮＣＵ３  ２３間のアナログファクシミリ送受信用の通信データと、Ｇ３Ｍ３  ２０とＩＣＭ２４のＢ１チャネルのＩＳＤＮ回線１０４間のディジタルファクシミリ送受信用の通信データと、Ｇ３Ｍ３  ２０とＩＣＭ２４のＢ２のＩＳＤＮ回線１０４チャネル間のディジタル送受信用の通信データの伝送経路のいずれかに選択的に切り替えるようにスイッチのオンまたはオフを行う。
【００５１】
また、Ａｎａｌｏｇ  ＳＷ４  １７ｄは、上記ＲＣＵ１５のスイッチ切り替え制御信号に基づき、Ｈａｎｄｓｅｔ（送受話器）１６とＮＣＵ１  ２１間のアナログ音声通話データと、Ｈａｎｄｓｅｔ（送受話器）１６とＮＣＵ２  ２２間のアナログ音声通話データと、Ｈａｎｄｓｅｔ（送受話器）１６とＮＣＵ３  ２３間のアナログ音声通話データと、Ｈａｎｄｓｅｔ（送受話器）１６とＩＣＭ２４のＢ１チャネルのＩＳＤＮ回線１０４間のディジタル音声通話データと、Ｈａｎｄｓｅｔ（送受話器）１６とＩＣＭ２４のＢ２チャネルのＩＳＤＮ回線１０４間のディジタル音声通話データの伝送経路のいずれかに選択的に切り替えるようにスイッチのオンまたはオフを行う。
【００５２】
即ち、このような構成によると、従来のように、アナログ通信モジュールとＮＣＵとが１対１のペア関係を有せず、ＲＣＵ１５において通信要求時にアナログ通信モジュールとＮＣＵの通信使用状態を調査し、通信未使用の空いているモジュールを検索し、この検索により検出した空きモジュールを用いて通信接続するようにしているため、アナログ通信モジュールとＮＣＵを有効に利用することができる。即ち、ＦＡＸ着信拒否、ＦＡＸ送信拒否、音声通話要求の拒否の発生を軽減し、ユーザの利用勝手を大幅に向上させることができる。
【００５３】
図３は、図１及び図２に示したＲＣＵ１５がＧ３Ｍ１、Ｇ３Ｍ２、Ｇ３Ｍ３等のアナログ通信モジュール及びＮＣＵ１、ＮＣＵ２、ＮＣＵ３等の網制御装置の現在の使用状態を管理するのに用いる管理テーブルの一構成例を示す図である。
【００５４】
そして、図３（ａ）がＧ３Ｍ１、Ｇ３Ｍ２、Ｇ３Ｍ３等のアナログ通信モジュールの通信使用状態を管理する管理テーブルの一例を示し、図３（ｂ）がＮＣＵ１、ＮＣＵ２，ＮＣＵ３等の網制御装置の使用状態を管理する管理テーブルの一例を示している。
【００５５】
同図３（ａ）において、ＲＣＵ１５は、主制御部２の制御のもと、アナログ回線通信モジュール（Ｇ３Ｍ）の現在の通信使用状態に合わせて、未使用であれば「０」をセットし、使用中であれば「１」をセットする。具体的に例えば、ＲＣＵ１５は、初期状態等では「０」をセットしておき、運用中では、通信に用いるＧ３Ｍを選択した際に「１」をセットし、その後、その「１」をセットしたＧ３Ｍの通信が終了した後主制御部２からの指示に応じて「０」をセットする。
【００５６】
尚、この例では、Ｇ３Ｍ１に「０」がセットされているので、Ｇ３Ｍ１は通信未使用状態を示し、Ｇ３Ｍ２に「１」がセットされているので、Ｇ３Ｍ２は通信使用中状態を示し、Ｇ３Ｍ３に「０」がセットされているので、Ｇ３Ｍ３が通信未使用状態を示している。
【００５７】
また、同様に、同図３（ｂ）において、ＲＣＵ１５は、主制御部２の制御のもと、網制御装置（ＮＣＵ）の現在の通信使用状態に合わせて、未使用であれば「０」をセットし、使用中であれば「１」をセットする。具体的に例えば、ＲＣＵ１５は、初期状態等では「０」をセットしておき、運用中では、発信時に通信に用いるＮＣＵを選択した際、或いは、ＰＳＴＮ回線からＲｉｎｇ信号を受信したＮＣＵを用いた通信を行う場合に該当するＮＣＵに対して「１」をセットし、その後、その「１」をセットしたＮＣＵの通信が終了した後主制御部２からの指示に応じて「０」をセットする。
【００５８】
尚、この例では、ＮＣＵ１に「１」がセットされているので、ＮＣＵ１は通信使用状態を示し、ＮＣＵ２に「０」がセットされているので、ＮＣＵ２は通信未使用状態を示し、ＮＣＵ３に「０」がセットされているので、ＮＣＵ３が通信未使用状態を示している。
【００５９】
そして、ＲＣＵ１５は、通信要求時にそれら図３（ａ）及び図３（ｂ）に示す管理テーブルに基づいてＧ３Ｍ１、Ｇ３Ｍ２、Ｇ３Ｍ３等のアナログ通信モジュール及びＮＣＵ１、ＮＣＵ２，ＮＣＵ３等の網制御装置の中から現在の使用していない未使用箇所を検索して通信用に選択する。
【００６０】
尚、上記の例では、管理テーブルをＲＣＵ１５が有するように示したが、これ以外に主制御部２等の別の場所で管理するようにしても良い。結局、主制御部２からＲＣＵ１５に対し、Ｇ３Ｍ１、Ｇ３Ｍ２、Ｇ３Ｍ３等のアナログ通信モジュール及びＮＣＵ１、ＮＣＵ２、ＮＣＵ３等の網制御装置の未使用箇所の検索及び選択指示があった場合にＲＣＵ１５がアクセスできれば良い。
【００６１】
次に、上述した構成における具体的な通信処理動作について図４及び図５を用いて説明する。
【００６２】
図４において、例えば、ＩＳＤＮ回線１０４のＢ１チャネルからＧ３−ＩＳＤＮの着信があると、ＩＣＭ２４から主制御部２に対してバス３６及びオプションバスＢ及びバス３１経由でＧ３−ＩＳＤＮ着信要求を出す。すると、主制御部２は、バス３１及びオプションバスＢ及びバス３２経由でＲＣＵ１５に対してＧ３Ｍ１〜Ｇ３Ｍ３のアナログ通信モジュールの空き検索及び選択を指示する。ここで、例えば、ＲＣＵ１５が上記空き検索及び選択指示に応じてＧ３Ｍ１の空きを検索し、このＧ３Ｍ１を選択したとすると、ＲＣＵ１５はＩＳＤＮ回線１０４のＢ１チャネルとＧ３Ｍ１  １８を接続するようにＡｎａｌｏｇ  ＳＷ１  １７ａにバス４５経由でスイッチ切り替え制御信号を送出する。これにより、Ａｎａｌｏｇ  ＳＷ１  １７ａが上記スイッチ切り替え制御信号に基づき所定のスイッチのオンまたはオフ動作を行うことで、データ線４１を介してＩＳＤＮ回線１０４のＢ１チャネルとＧ３Ｍ１  １８との間が接続されＩＳＤＮ回線１０４のＢ１チャネルからのファクシミリ受信動作を行う［図中（Ｉ）参照］。
【００６３】
その後、上記（Ｉ）の受信動作中に、例えば、ＩＳＤＮ回線１０４のＢ２チャネルからＧ３−ＩＳＤＮの着信があると、ＩＣＭ２４から主制御部２に対してバス３６経由でＧ３−ＩＳＤＮ着信要求を出す。すると、主制御部２は、バス３１及びオプションバスＢ及びバス３２経由でＲＣＵ１５に対してＧ３Ｍ１〜Ｇ３Ｍ３のアナログ通信モジュールの空き検索及び選択を指示する。ここで、例えば、ＲＣＵ１５がＧ３Ｍ２の空きを検索し、このＧ３Ｍ２を選択したとすると、ＲＣＵ１５はＩＳＤＮ回線１０４のＢ２チャネルとＧ３Ｍ２  １９を接続するようにＡｎａｌｏｇ  ＳＷ２  １７ｂにバス４６経由でスイッチ切り替え制御信号を送出する。これにより、Ａｎａｌｏｇ  ＳＷ２  １７ｂが上記スイッチ切り替え制御信号に基づき所定のスイッチのオンまたはオフ動作を行うことで、データ線４１を介してＩＳＤＮ回線１０４のＢ２チャネルとＧ３Ｍ２  １９との間が接続されＩＳＤＮ回線１０４のＢ２チャネルからのファクシミリ受信動作を行う［図中（ＩＩ）参照］。
【００６４】
また、その後、それら（Ｉ）及び（ＩＩ）の２つの受信動作中に、例えば、Ｈａｎｄｓｅｔ１６により音声通話を行うとした場合、まず、バス４９及びオプションバスＢおよびバス３１を経由して主制御部２に通話要求が出される。次いで、主制御部２からＲＣＵ１５に対してバス３１及びオプションバスＢ及びバス３２経由で空き回線（ＰＳＴＮ１  １０１、ＰＳＴＮ２  １０２、ＰＳＴＮ３  １０３〜３或いはＩＳＤＮ回線１０４）の検索及び選択を指示する。ここで、例えば、ＲＣＵ１５がＮＣＵ１  ２１の空きを検索し、このＮＣＵ１  ２１を選択したとすると、ＲＣＵ１５はＨａｎｄｓｅｔ１６とＮＣＵ１  ２１を接続するようにＡｎａｌｏｇ  ＳＷ４  １７ｄにバス４８経由でスイッチ切り替え制御信号を送出すると共に、ＮＣＵ２１に対して回線接続制御を指示するＲｅｌａｙ制御信号を送出する。これにより、Ａｎａｌｏｇ  ＳＷ４  １７ｄが上記スイッチ切り替え制御信号に基づき所定のスイッチのオンまたはオフ動作を行い、ＮＣＵ１がＰＳＴＮ１回線１０１との接続制御を行うことで、データ線４１を介してＨａｎｄｓｅｔ１６とＰＳＴＮ１回線１０１に接続されたＮＣＵ１との間が接続されＰＳＴＮ１回線１０１を用いて音声通話動作を行う［図中（ＩＩＩ）参照］。
【００６５】
そして、更に、それら（Ｉ）及び（ＩＩ）及び（ＩＩＩ）の３つの通信動作が同時に行われている状態で、例えば、ＰＳＴＮ２回線１０２からファクシミリ通信の着信があった場合、ＮＣＵ２  ２２からバス４３経由で呼出信号（ＲＩＮＧ２）がＲＣＵ１５に入力される。すると、このＲＣＵ１５がＧ３Ｍ１〜Ｇ３Ｍ３のアナログ通信モジュールのなかから現在空いている箇所としてＧ３Ｍ３を検索し、このＧ３Ｍ３を選択する。そして、このＲＣＵ１５は、ＮＣＵ２  ２２とＧ３Ｍ３２０を接続するようにＡｎａｌｏｇ  ＳＷ３  １７ｃにバス４７経由でスイッチ切り替え制御信号を送出すると共に、ＮＣＵ２  ２２に対して網との接続を指示するＲｅｌａｙ制御信号を送出する。これにより、Ａｎａｌｏｇ  ＳＷ３  １７ｃが上記スイッチ切り替え制御信号に基づき所定のスイッチのオンまたはオフ動作を行うことで、データ線４１を介してＮＣＵ２  ２２とＧ３Ｍ３  ２０との間が接続されＰＳＴＮ２回線１０２からのファクシミリ受信動作を行う［図中（ＩＶ）参照］。
【００６６】
尚、ＲＣＵ１５における空きモジュールの決定方法として、例えば、Ｇ３Ｍ１とＧ３Ｍ２とＧ３Ｍ３との間で番号の若い方を選択優先順位が高く、また、ＮＣＵ１とＮＣＵ２とＮＣＵ３との間で番号の若い方を選択優先順位が高いという設定をＲＣＵ１５に持たせておき、ＲＣＵ１５が、検索時に現在空いているモジュールの中で若い番号の方から選択を行う。
【００６７】
また、これとは別に、空いているのであればＧ３Ｍ１とＮＣＵ１間、Ｇ３Ｍ２とＮＣＵ２間、Ｇ３Ｍ３とＮＣＵ３間でアナログファクシミリ送信及び受信を優先的に行うように設定しておき、空いていない場合に、他の空いているＧ３Ｍ或いはＮＣＵを上述の空きモジュール決定方法により選択するようにしても良い。
【００６８】
即ち、従来では、各Ｇ３Ｍがそれぞれペアの各ＮＣＵを制御していることで、或るＮＣＵに対するＧ３ファクシミリ受信要求の着信が発生した場合、そのＮＣＵに対応するペアのＧ３Ｍが、例えば、ＩＳＤＮ回線を用いてＧ３ファクシミリ送信或いはＧ３ファクシミリ受信動作により使用中であると上記Ｇ３ファクシミリ受信要求の着信を拒否していたのに対し、上述のような本発明の構成によると、或るＮＣＵに対するＧ３ファクシミリ受信要求の着信が発生した場合、ＲＣＵでその時の全てのＧ３Ｍの通信使用状態を調査し、その時空いているＧ３Ｍを検索し選択して通信接続するようにしているので、空いているＧ３Ｍがあれば着信拒否しなくても済む。
【００６９】
尚、上述の例では、着信時の例を示したが、これ以外に送信時の場合でも同じ効果が得られるものである。その場合を図５を用いて説明する。
【００７０】
図５において、例えば、ＩＳＤＮ回線１０４のＢ１チャネルからＧ３−ＩＳＤＮの着信があると、ＩＣＭ２４から主制御部２に対してバス３６及びオプションバスＢ及びバス３１経由でＧ３−ＩＳＤＮ着信要求を出す。すると、主制御部２は、バス３１及びオプションバスＢ及びバス３２経由でＲＣＵ１５に対してＧ３Ｍ１〜Ｇ３Ｍ３のアナログ通信モジュールの空き検索及び選択を指示する。ここで、例えば、ＲＣＵ１５がＧ３Ｍ１の空きを検索し、このＧ３Ｍ１を選択したとすると、ＲＢＵ１５はＩＳＤＮ回線１０４のＢ１チャネルとＧ３Ｍ１  １８を接続するようにＡｎａｌｏｇ  ＳＷ１  １７ａにバス４５経由でスイッチ切り替え制御信号を送出する。これにより、Ａｎａｌｏｇ  ＳＷ１  １７ａが上記スイッチ切り替え制御信号に基づき所定のスイッチのオンまたはオフ動作を行うことで、データ線４１を介してＩＳＤＮ回線１０４のＢ１チャネルとＧ３Ｍ１  １８との間が接続されＩＳＤＮ回線１０４のＢ２チャネルからのファクシミリ受信動作を行う［図中（Ｖ）参照］。
【００７１】
その後、上記（Ｖ）の受信動作中に、例えば、Ｈａｎｄｓｅｔ１６により音声通話を行うとした場合、まず、バス４９及びオプションバスＢ及びバス３１を経由して主制御部２に通話要求が出される。次いで、主制御部２からＲＣＵ１５に対してバス３１及びオプションバスＢ及びバス３２経由で空き回線（ＰＳＴＮ１１０１、ＰＳＴＮ２  １０２、ＰＳＴＮ３  １０３〜３或いはＩＳＤＮ回線１０４）の検索及び選択を指示する。ここで、例えば、ＲＣＵ１５がＮＣＵ１  ２１の空きを検索し、このＮＣＵ１  ２１を選択したとすると、ＲＣＵ１５はＨａｎｄｓｅｔ１６とＮＣＵ１  ２１を接続するようにＡｎａｌｏｇ  ＳＷ４  １７ｄにバス４８経由でスイッチ切り替え制御信号を送出する。これにより、Ａｎａｌｏｇ  ＳＷ４  １７ｄが上記スイッチ切り替え制御信号に基づき所定のスイッチのオンまたはオフ動作を行うことで、データ線４１を介してＨａｎｄｓｅｔ１６とＰＳＴＮ１回線１０１に接続されたＮＣＵ１との間が接続されＰＳＴＮ１回線１０１を用いて音声通話動作を行う［図中（ＶＩ）参照］。
【００７２】
また、その後、上記（Ｖ）及び（ＶＩ）の２つの通信動作中に、例えば、ＰＳＴＮ３回線１０３からファクシミリ通信の着信があった場合、ＮＣＵ３  ２３からバス４４経由で呼出信号（ＲＩＮＧ３）がＲＣＵ１５に入力される。すると、このＲＣＵ１５がＧ３Ｍ１〜Ｇ３Ｍ３のアナログ通信モジュールのなかから現在空いている箇所としてＧ３Ｍ２を検索し、このＧ３Ｍ２を選択する。そして、このＲＣＵ１５は、ＮＣＵ３  ２３とＧ３Ｍ２  １９を接続するようにＡｎａｌｏｇＳＷ２  １７ｂにバス４６経由でスイッチ切り替え制御信号を送出すると共に、ＮＣＵ３  ２３に対して網との接続を指示するＲｅｌａｙ制御信号を送出する。これにより、Ａｎａｌｏｇ  ＳＷ２  １７ｂが上記スイッチ切り替え制御信号に基づき所定のスイッチのオンまたはオフ動作を行うことで、データ線４１を介してＮＣＵ３  ２３とＧ３Ｍ２  １９との間が接続されＰＳＴＮ３回線１０３からのファクシミリ受信動作を行う［図中（ＶＩＩ）参照］。
【００７３】
そして、更に、それら（Ｖ）及び（ＶＩ）及び（ＶＩＩ）の３つの通信動作が同時に行われている状態で、例えば、Ｇ３ファクシミリの送信要求があった場合、主制御部２の制御のもと、自動的に空いているＧ３Ｍ３  ２０を検知すると共に、主制御部２からバス３１及びオプションバスＢ及びバス３２経由でＲＣＵ１５に上記検知したＧ３Ｍ３  ２０を用いたＧ３ファクシミリ送信要求の発生を通知する。すると、ＮＣＵ１〜ＮＣＵ３の網制御装置のなかから現在空いている箇所としてＮＣＵ２を選択する。そして、このＲＣＵ１５は、ＮＣＵ２  ２２とＧ３Ｍ３２０を接続するようにＡｎａｌｏｇ  ＳＷ３  １７ｃにバス４７経由でスイッチ切り替え制御信号を送出すると共に、ＮＣＵ２  ２２に対して網との接続を指示するＲｅｌａｙ制御信号を送出する。これにより、Ａｎａｌｏｇ  ＳＷ３  １７ｃが上記スイッチ切り替え制御信号に基づき所定のスイッチのオンまたはオフ動作を行うことで、データ線４１を介してＮＣＵ２  ２２とＧ３Ｍ３  ２０との間が接続されＧ３Ｍ３  ２０とＮＣＵ２  ２２を用いてＰＳＴＮ２回線１０２へファクシミリ送信動作を行う［図中（ＶＩＩＩ）参照］。尚、主制御部２からＲＣＵ１５にＧ３ファクシミリ送信要求の発生を通知する方法として、Ｒｅｌａｙ制御信号を送出しても良い。
【００７４】
即ち、従来では、各Ｇ３Ｍがそれぞれペアの各ＮＣＵを制御していることで、或るＧ３Ｍに対するＧ３ファクシミリ送信要求が発生した場合、そのＧ３Ｍに対応するペアのＮＣＵしか使用できず、その時、例えば、そのペアの関係にあるＮＣＵが音声通話等で使用中であると、上記Ｇ３ファクシミリ送信要求を拒否していたのに対し、上述のような本発明の構成によると、Ｇ３ファクシミリ送信要求が発生した場合、ＲＣＵでその時通信に使用していない空いているＮＣＵを検索し、その空いているＮＣＵを用いて通信接続するようにしているので、空いているＮＣＵがあればＦＡＸ送信要求を拒否しなくても済む。
【００７５】
尚、上記図５の例では、Ｇ３ファクシミリの送信要求があった場合、主制御部２の制御のもと、自動的に空いているＧ３Ｍを検知して、主制御部２からバス３１及びオプションバスＢ及びバス３２経由でＲＣＵ１５にその検知した空きＧ３Ｍを用いたＧ３ファクシミリ送信要求の発生を通知し、ＲＣＵ１５でＮＣＵ１〜ＮＣＵ３の網制御装置のなかから現在空いている箇所としてＮＣＵ２を選択する構成を示したが、これに限らず、Ｇ３ファクシミリの送信要求があった場合、主制御部２からバス３１及びオプションバスＢ及びバス３２経由でＲＣＵ１５にＧ３ファクシミリ送信要求の発生を通知し、それにより、ＲＣＵ１５がＧ３Ｍ１〜Ｇ３Ｍ３のアナログ通信モジュールのなかから現在空いているＧ３Ｍを検索し選択すると共に、ＮＣＵ１〜ＮＣＵ３の網制御装置のなかから現在空いているＮＣＵを選択するようにしても良い。
【００７６】
上記図４及び図５の複数同時通信の処理動作の組合せは一例であり、これ以外の組合せも有り得る。つまり、本発明では、Ｇ３Ｍ１、Ｇ３Ｍ２、Ｇ３Ｍ３等のアナログ通信モジュールとＮＣＵ１、ＮＣＵ２、ＮＣＵ３等の網制御装置で使用していない箇所があればその未使用部分を選択して通信接続処理することにより、複数のアナログ通信モジュール及び網制御装置の有効利用を図るものである。
【００７７】
また、上記実施例では、アナログ通信モジュールとしてＧ３Ｍ１、Ｇ３Ｍ２、Ｇ３Ｍ３の３つを、また、網制御装置としてＮＣＵ１、ＮＣＵ２、ＮＣＵ３の３つを示したが、この数に限られるものではない。
【００７８】
また、上記図２に示す実施例では、ＲＣＵから各ＮＣＵ１、ＮＣＵ２、ＮＣＵ３それぞれにＲｅｌａｙ制御信号を送出するバス４２、バス４３、バス４４を示したが、これに限らず、各Ｇ３Ｍ１，Ｇ３Ｍ２，Ｇ３Ｍ３それぞれからＮＣＵ１、ＮＣＵ２、ＮＣＵ３それぞれに１対１でＲｅｌａｙ制御信号伝送バスを設け、主制御部２の制御の下、ＲＣＵ１５のＧ３Ｍ或いはＮＣＵの選択によるスイッチ切り替え制御に応じて上記Ｒｅｌａｙ制御信号伝送バスを用いてＲｅｌａｙ制御信号を該当するＮＣＵに送出するようにしても良い。
【００７９】
また、上記実施例では、ファクシミリ装置を例にして説明したが、これ以外にも、複数のアナログ通信モジュールおよび複数の網制御装置を備え、回線切り替えを行うものならば他の電子機器システムに適用しても良いものとする。
【００８０】
尚、このファクシミリ装置が、ファクシミリと電話の両方に同一の番号を使用するものであれば、ＮＣＵ１、ＮＣＵ２、ＮＣＵ３いずれかの網制御装置からＲｉｎｇ１，Ｒｉｎｇ２，Ｒｉｎｇ３信号がＲＣＵ１５に入力された場合、自動切り替え設定に応じた制御として、ＲＣＵ１５では、初めにＨａｎｄｓｅｔ（送受話器）で呼び出しを行うように、Ａｎａｌｏｇ  ＳＷ４  １７ｄのスイッチ切り替え制御をし、その後、着信音を所定回数鳴動または着信音を所定時間鳴動してもユーザがオフフックしない、若しくは、その所定回数内またはその所定時間内にユーザにより手動でＦＡＸ受信開始操作があった場合に、ＲＣＵ１５で現在通信未使用のＧ３Ｍを検索して選択し、選択したＧ３Ｍでファクシミリ受信を行うように該当するＡｎａｌｏｇ  ＳＷ１〜３のいずれかのスイッチ切り替え制御を行う。尚、スイッチ切り替え制御してファクシミリ受信動作を行った場合にＦＡＸ通信手順による所定のＦＡＸ信号を受信しなかった場合には通信を切断をする。
【００８１】
また、これとは逆に、ファクシミリ受信動作を優先し、Ｒｉｎｇ信号がＲＣＵに入力された場合、ＲＣＵで空いているＧ３Ｍを検索して選択し、選択したＧ３Ｍでファクシミリ受信を行うようにＡｎａｌｏｇ  ＳＷ１〜３のいずれかのスイッチ切り替え制御を行い、ファクシミリ受信動作を行った場合にＦＡＸ通信手順による所定のＦＡＸ信号を受信しなかった場合、ＲＣＵがＨａｎｄｓｅｔ１６側のＡｎａｌｏｇ  ＳＷ４のスイッチ切り替え制御を行って音声通話に切り替えるようにしても良い。
【００８２】
【発明の効果】
以上説明したように、本発明によれば、公衆回線にそれぞれ接続された複数の網制御装置（ＮＣＵ）と、所定の伝送制御手順に従った通信制御を行う複数のアナログ通信モジュールとを有する通信装置において、通信要求が複数同時に発生した場合における複数のアナログ通信モジュール及び網制御装置の有効利用を行うことができる。そして、これにより、ユーザの利用勝手を大幅に向上させることができる。
【図面の簡単な説明】
【図１】本発明の通信装置及びその通信制方法を適用した複数の通信モジュールを備えたファクシミリ装置の一構成例を示す図。
【図２】図１に示す通信制御部の構成を更に詳細に説明する為の構成図。
【図３】図１に示したＲＣＵの有する管理テーブルの一構成例を示す図。
【図４】図２に示した構成における具体的な通信処理動作を説明する図。
【図５】図２に示した構成における具体的な通信処理動作を説明する図。
【図６】従来のファクシミリ装置の一構成例を示す図。
【図７】従来の通信動作を示す図。
【図８】従来の通信動作を示す図。
【符号の説明】
１…ファクシミリ装置、２…主制御部、３…通信制御部、４…Ｂｕｓ  Ｉ／Ｆ、５…ＣＰＵ、６…ＲＯＭ、７…ＲＡＭ（２）、８…ＨＤＤ、９…Ｓｃａｎｎｅｒ、１０…ＲＡＭ（１）、１１…ＡＳＩＣ  ＣＯＤＥＣ、１２…ＲＡＭ（３）、１３…Ｐｒｉｎｔｅｒ、１４…ＮＩＣ、１５…ＲＣＵ、１６…Ｈａｎｄｓｅｔ、１７…Ａｎａｌｏｇ  ＳＷ、１８…Ｇ３Ｍ１、１９…Ｇ３Ｍ２、２０…Ｇ３Ｍ３、２１…ＮＣＵ１、２２…ＮＣＵ２、２３…ＮＣＵ３、２４…ＩＣＭ、２５…Ｇ４Ｍ１、２６…Ｇ４Ｍ２、１０１…ＰＳＴＮ１回線、１０２…ＰＳＴＮ２回線、１０３…ＰＳＴＮ３回線、１０４…ＩＳＤＮ回線
【図１】
2004274592.tif 000003
【図２】
2004274592.tif 000004
【図３】
2004274592.tif 000005
【図４】
2004274592.tif 000006
【図５】
2004274592.tif 000007
【図６】
2004274592.tif 000008
【図７】
2004274592.tif 000009
【図８】
2004274592.tif 000010